(57)【特許請求の範囲】
【請求項１】
給水管と出湯管とが接続され加熱手段により加熱を受ける熱交換器と、加熱手段の火力調整をする火力調整手段と、熱交換器で加熱された湯の温度を検知する出湯温度検知手段と、出湯管から分岐された浴槽給湯管とを有する高温差湯機能付給湯器において、
前記熱交換器をバイパスして前記給水管と前記出湯管の浴槽給湯管との分岐部より下流とを連通するバイパス管と、
前記バイパス管に設けられたバイパス開閉弁と、
前記浴槽給湯管に設けられ自動湯張り時に開弁する第１開閉弁と、
前記浴槽給湯管の前記第１開閉弁より上流と下流とを連通する高温給湯管と、
前記高温給湯管に設けられた第２開閉弁及び流量制限手段と、
前記出湯管の前記浴槽給湯管との分岐部と前記バイパス管との接続部との間に設けられ、バイパス管からの水が浴槽給湯管に流入するのを防ぐ逆止弁と、
前記出湯管の前記バイパス管との接続部より下流における水流の有無を検知する水流検知手段と、
前記第２開閉弁及びバイパス開閉弁を開き、前記第１開閉弁を閉じ、前記出湯温度検知手段の検知温度が高温の設定温度となるように前記火力調整手段を制御する高温差湯手段と、
前記高温差湯手段による給湯制御がなされているときに
前記水流検知手段がオンされると、前記火力調整手段に加熱手段の火力を弱めまたは停止することを指示し、その後に前記第２開閉弁を閉じ、その後に前記バイパス開閉弁を閉じることを指示し、その後あるいはその途中で前記出湯温度検知手段の検知温度が一般給湯用設定温度となるように前記火力調整手段を制御する給湯切換手段とを有することを特徴とする高温差湯機能付給湯器。
【請求項２】
前記給湯切換手段が、前記水流検知手段がオンされた後、前記出湯温度検知手段の検知温度が所定の温度まで下ったときに前記バイパス開閉弁を閉じることを特徴とする請求項１に記載の高温差湯機能付給湯器。
【請求項３】
前記出湯管の前記バイパス管との接続部より下流に設けられた給湯温度検知手段を有し、前記給湯切換手段が、前記水流検知手段がオンされた後、前記給湯温度検知手段の検知温度が所定の温度まで下ったときに前記バイパス開閉弁を閉じることを特徴とする請求項１に記載の高温差湯機能付給湯器。
【発明の詳細な説明】
【０００１】
【産業上の利用分野】
本発明は、シャワーや洗面台等に使用する一般給湯と、浴槽への自動給湯および高温の湯を供給して浴槽水を昇温させる高温差湯とを行う高温差湯機能付給湯器に関し、更に詳しくは、浴槽への高温差湯を行っている途中に一般給湯を行う場合には、熱交換器をバイパスした冷水を高温湯に混合した湯を一時的に供給し、熱交換器からの出湯温が下がってからはその湯を供給するようにした高温差湯機能付給湯器に関するものである。
【０００２】
【従来の技術】
従来、家庭のシャワーや洗面台、台所、浴槽等に湯を供給すると共に、浴槽に既に溜っている水又はぬるま湯を昇温させる役割をも有する給湯器が使用されている。かかる浴槽水の昇温の方法としては、浴槽水を熱交換器に循環させ加熱して浴槽に戻す、いわゆる追い焚きによるものの他、８０℃程度の高温の湯を新たに浴槽に供給し、浴槽水と混合させて昇温させるものもある。後者の方法による昇温操作を高温差湯と呼び、そのような機能を備えた給湯器を高温差湯機能付給湯器という。高温差湯機能付給湯器では、浴槽水の循環加熱を行わないので、追い焚き用燃焼器や循環ポンプの備えを要しないという利点を有している。
【０００３】
従来の高温差湯機能付給湯器の一例を図８に示す。図８に示すものは、基本的に、ガスバーナ６１により加熱される熱交換器６２に、水の供給を受ける入水管６３と出湯管６４とを連通し、出湯管６４から分岐点ｗにて分岐して設けられた高温給湯管６５とを有している。そして、熱交換器６２をバイパスして入水管６３と出湯管６４とを連通する第１バイパス路６６と、出湯管６４の第１バイパス路６６との接続部ｘより上流の分岐点ｙから分岐して高温給湯管６５に接続部ｚで接続される第２バイパス路６７とを有している。
【０００４】
かかる高温差湯機能付給湯器においては、入水管６３の第１バイパス路６６との分岐点より下流に入水サーミスタ６８と流量センサ６９を設け、第１バイパス路６６にはバイパス弁７０を設け、出湯管６４の分岐点ｗと分岐点ｙとの間と高温給湯管６５とにはそれぞれ流量制御弁７２、７３と湯温サーミスタ７４、７５とを設け、更に出湯管６４には分岐点ｙと接続部ｘとの間の逆止弁７６を設けている。そして、出湯管６４の下流には給湯栓を有する一般給湯管７７が接続され、接続部ｚの下流には電磁開閉弁８０を有し浴槽Ｂに至る浴槽給湯管７９が接続されている。また、ガスバーナ６１にはガス比例弁８２が設けられている。
【０００５】
この高温差湯機能付給湯器で一般給湯を使用する場合には、流量制御弁７２が開かれ、バイパス弁７０と流量制御弁７３及び電磁開閉弁８０が閉じられる。そして給湯栓を開くと、熱交換器６２で一般給湯の設定温度に加熱された湯が一般給湯管７７を経て出湯する。このとき、流量制御弁７２とガス比例弁８２との開度調整により流量と出湯温度とが調節される。
浴槽Ｂに自動湯張りする場合には、流量制御弁７２が開かれ、バイパス弁７０と流量制御弁７３とは閉じられる。そして、電磁開閉弁８０が開かれると、熱交換器６２で湯張り給湯の設定温度に加熱された湯が第２バイパス路６７を矢印Ｆ1 の向きに流れ、更に浴槽給湯管７９を経て浴槽Ｂに供給される。また、ここで一般給湯の給湯栓を開くと、一般給湯と自動湯張りとでは設定温度が同じか又はごく近いので、熱交換器６２で加熱された湯の一部がそのまま分流されて一般給湯に供される。
【０００６】
浴槽Ｂに高温差湯する場合には、流量制御弁７３が開かれ、流量制御弁７２が閉じられる。そして、電磁開閉弁８０が開かれると、熱交換器６２で高温差湯に適した高い設定温度（例えば８０℃程度）に加熱された湯が高温給湯管６５及び浴槽給湯管７９を経て浴槽Ｂに供給される。このときバイパス弁７０も開かれているが、逆止弁７６により未加熱の水が浴槽Ｂへの給湯に混入することが防止されている。ここで一般給湯の給湯栓を開くと、熱交換器６２で加熱された高温の湯の一部が接続部ｚから分流され第２バイパス路６７に流入して矢印Ｆ2 の向きに流れ、第１バイパス路６６から供給される冷水と接続部ｘで合流して希釈され、適温の湯として一般給湯管７７から出湯する。
【０００７】
【発明が解決しようとする課題】
しかしながら、前記した従来の高温差湯機能付給湯器には、以下のような問題点があった。
即ちこの高温差湯機能付給湯器では、一般給湯、自動湯張り、高温差湯の三種類の給湯を使い分けるのに、バイパス弁７０、流量制御弁７２、７３、逆止弁７６、電磁開閉弁８０の５つもの弁装置を用いており、そのうち流量制御弁が２つ含まれている。従って非常に複雑な構成となっている。このため部品点数が多く、コストやメンテナンス等の点で不利である。
【０００８】
また、この高温差湯機能付給湯器で高温差湯中に一般給湯を用いた場合の湯の流れは、本来の一般給湯の場合と異なり、一般給湯管７７からは高温の湯と冷水とを混合した湯が出湯する。この混合湯の温度は高温の湯と冷水とのそれぞれの温度及び流量バランスにより決定されるが、給水温度は季節等により変動し、また一般給湯管７７への高温湯の流れの管路抵抗と第１バイパス路６６から一般給湯管７７への冷水の流れの管路抵抗との比率が流量制御弁７３の開度によって変動するため、混合湯の温度は安定しない。更に、接続部ｚから浴槽Ｂまでの高温湯の流れの抵抗は設置状況により千差万別なので、接続部ｚから浴槽Ｂへ行く湯量と分岐点ｙから一般給湯管７７に流入する湯量との比率が定まらず、このことも混合湯の温度が安定しない原因となる。従って、高温差湯中に一般給湯を用いた場合には、高温の湯と冷水との流量バランスが自由に変えられず、本来の一般給湯のように使用者が設定した温度の出湯を得ることはできない。
【０００９】
本発明は、前記従来技術のこのような問題点を解決するためになされたものであり、その目的とするところは、高温差湯使用中に一般給湯を使う場合に、一時的には高温の湯と冷水との混合湯を供給するが、熱交換器からの出湯温度が適温まで下った後は本来の一般給湯と同様の出湯を行うようにして給湯温度を安定させ、かつ構造も簡潔にした高温差湯機能付給湯器を提供することにある。
【００１０】
【課題を解決するための手段】
この目的を達成するため本発明（１）は、給水管と出湯管とが接続され加熱手段により加熱を受ける熱交換器と、加熱手段の火力調整をする火力調整手段と、熱交換器で加熱された湯の温度を検知する出湯温度検知手段と、出湯管から分岐された浴槽給湯管とを有する高温差湯機能付給湯器において、前記熱交換器をバイパスして前記給水管と前記出湯管の浴槽給湯管との分岐部より下流とを連通するバイパス管と、前記バイパス管に設けられたバイパス開閉弁と、前記浴槽給湯管に設けられ自動湯張り時に開弁する第１開閉弁と、
前記浴槽給湯管の前記第１開閉弁より上流と下流とを連通する高温給湯管と、前記高温給湯管に設けられた第２開閉弁及び流量制限手段と、前記出湯管の前記浴槽給湯管との分岐部と前記バイパス管との接続部との間に設けられ、バイパス管からの水が浴槽給湯管に流入するのを防ぐ逆止弁と、前記出湯管の前記バイパス管との接続部より下流における水流の有無を検知する水流検知手段と、前記第２開閉弁及びバイパス開閉弁を開き、前記第１開閉弁を閉じ、前記出湯温度検知手段の検知温度が高温の設定温度となるように前記火力調整手段を制御する高温差湯手段と、前記高温差湯手段による給湯制御がなされているときに前記水流検知手段がオンされると、前記火力調整手段に加熱手段の火力を弱めまたは停止することを指示し、その後に前記第２開閉弁を閉じ、その後に前記バイパス開閉弁を閉じることを指示し、その後あるいはその途中で前記出湯温度検知手段の検知温度が一般給湯用設定温度となるように前記火力調整手段を制御する給湯切換手段とを有することを特徴とする高温差湯機能付給湯器。
【００１１】
また、本発明の高温差湯機能付給湯器（２）は、前記給湯切換手段が、前記水流検知手段がオンされた後、前記出湯温度検知手段の検知温度が所定の温度まで下ったときに前記バイパス開閉弁を閉じることを特徴とする前記（１）の構成とされる。
また、本発明の高温差湯機能付給湯器（３）は、前記出湯管の前記バイパス管との接続部より下流に設けられた給湯温度検知手段を有し、前記給湯切換手段が、前記水流検知手段がオンされた後、前記給湯温度検知手段の検知温度が所定の温度まで下ったときに前記バイパス開閉弁を閉じることを特徴とする前記（１）の構成とされる。
【００１２】
【作用】
このような構成を有する本発明の高温差湯機能付給湯器（１）によれば、高温差湯手段により、第２開閉弁及びバイパス開閉弁が開かれ、第１開閉弁が閉じられ、火力調整手段が制御されると、加熱手段で加熱され高温の設定温度となった湯が出湯管から高温給湯管を経て供給される。このとき逆止弁が、バイパス管から冷水が高温給湯管に進入することを防止している。ここで水流検知手段がオンされると、給湯切換手段が火力調整手段に加熱手段の加熱を弱めまたは停止することを指示する。その直後は熱交換器からの高温の湯は第２開閉弁から高温給湯管側に逃がされる。その後第２開閉弁が閉じられ、温度が下った湯が高温給湯管に進入することを防止する。そしてその後にバイパス開閉弁を閉じ、加熱手段で低温の設定温度に加熱された湯が出湯管から出湯する。
【００１３】
また、本発明の高温差湯機能付給湯器（２）によれば、給湯切換手段は、火力調整手段に加熱手段の加熱を弱めまたは停止することを指示した後、出湯温度検知手段の検知温度が所定の温度まで下ったときにバイパス開閉弁を閉じる。
また、本発明の高温差湯機能付給湯器（３）によれば、給湯切換手段は、火力調整手段に加熱手段の加熱を弱めまたは停止することを指示した後、給湯温度検知手段の検知温度が所定の温度まで下ったときにバイパス開閉弁を閉じる。
【００１４】
【実施例】
以下に、本発明を具体化した実施例を図面を参照して詳細に説明する。
図１に、本実施例に係る高温差湯機能付給湯器の構成を示す。
図１に示す高温差湯機能付給湯器は、給水管１と出湯管２とが配管される熱交換器３と、この熱交換器３を流れる水を加熱するためのガスバーナ４と、出湯管２から分岐して浴槽４１へ湯を供給する浴槽給湯管６と、給水管１から分岐して出湯管２の浴槽給湯管６との分岐部ｂより下流の位置に接続されるバイパス管８と、出湯管２の浴槽給湯管６との分岐部ｂより上流の位置から分岐して浴槽給湯管６に接続される差湯管５と、を有している。また、出湯管２のバイパス管８との接続部ｃより下流には、図示しないシャワーや台所等に至る一般給湯管７が接続されている。
【００１５】
そして、ガスバーナ４には燃料ガスの流量調整をするガス比例弁２１が、給水管１のバイパス管８との分岐部ｅより上流には水流の流量を検出する流量センサ１０と水の最大流量を規制する水ガバナ９とが、それぞれ設けられている。バイパス管８には、バイパス水電磁弁１１が設けられている。
【００１６】
また出湯管２には、差湯管５との分岐部ａより上流の位置に、熱交換器３からの出湯温度を測定する出湯サーミスタ１２が、浴槽給湯管６との分岐部ｂとバイパス管８との接続部ｃとの間の位置に、バイパス管８から浴槽給湯管６への水の流入を防止する逆止弁１５が、それぞれ設けられている。また出湯管２のバイパス管８との接続部ｃより下流の位置には、流れの有無を検知する給湯水流センサ１６と給湯温度を測定する給湯サーミスタ１７とが設けられ、一般給湯管７に接続されている。また、浴槽給湯管６には浴槽４１へ自動給湯するときに開弁される第１水電磁弁１４が、差湯管５には浴槽４１へ高温差湯するときに開弁される第２水電磁弁１３と最大流量を規制する湯ガバナ２０とが、それぞれ設けられている。
【００１７】
更に、流量センサ１０、出湯サーミスタ１２、給湯水流センサ１６及び給湯サーミスタ１７から信号を受け、ガス比例弁２１、バイパス水電磁弁１１、及び第１、第２、第３水電磁弁１３、１４を制御するコントローラ１８を有している。コントローラ１８は、公知のＣＰＵ、ＲＯＭ、ＲＡＭ等により構成される。コントローラ１８のＲＯＭには、後述する給湯切換制御等を行うための種々のプログラムが格納されている。
また、コントローラ１８は、リモコン１９を備えている。リモコン１９により、浴室内や台所等から高温差湯機能付給湯器を遠隔操作することができる。またリモコン１９は、高温差湯機能付給湯器の運転状況を表示するための表示機能や警報機能も有している。
【００１８】
次に、前記の構成を有する高温差湯機能付給湯器の作用を説明する。この高温差湯機能付給湯器の基本的な作用は、給水管１から供給される水を、熱交換器３においてガスバーナ４の熱で加熱して湯とし、差湯管５又は浴槽給湯管６を経て浴槽４１へ、若しくは一般給湯管７を経て蛇口やシャワー等へ供給することである。かかる湯の供給の切換は、コントローラ１８により、ガス比例弁２１、バイパス水電磁弁１１、及び第１、第２水電磁弁１３、１４を制御して行われる。以下、この高温差湯機能付給湯器における、自動湯張り、高温差湯、一般給湯の各給湯動作を図２乃至４を用いて説明する。図２乃至４では、湯又は水が流れている管を実線で、流れていない管を破線で表す。また、バイパス水電磁弁１１、及び第１、第２水電磁弁１３、１４については、丸印で開弁状態を、バツ印で閉弁状態を表す。
【００１９】
まず、空の浴槽４１に入浴適温の湯を自動湯張りする場合を説明する。自動湯張りは、蛇口やシャワー等を閉じた状態でリモコン１９によりコントローラ１８にその旨を指令して行う。この場合には、図２に示すように第２水電磁弁１３を閉じ、第１水電磁弁１４及びバイパス水電磁弁１１を開く。このため、熱交換器３から浴槽給湯管６を経て浴槽４１へ湯が流れる。この流れが流量センサ１０により検出されると、ガスバーナ４が点火され、出湯サーミスタ１２の検知水温がリモコン１９で設定された入浴適温、例えば４２℃程度となるようにガス比例弁２１が制御される。一方、バイパス水電磁弁１１は開いているが、一般給湯管７の先の蛇口やシャワー等が閉じられており、また逆止弁１５により浴槽給湯管６への流れが禁じられているので、バイパス管８に水は流れない。
【００２０】
かかる自動湯張りは、浴槽４１を満たすのに必要十分なように、予め定められた所定の積算流量に達するまで行われる。自動湯張りが終了すると、第１水電磁弁１４を閉じて湯の供給を停止し、ガスバーナ４を消火する。また、自動湯張りの開始時と終了時とには、リモコン１９の表示機能及び警報機能を利用して、その旨が知らされる。
【００２１】
次に、浴槽４１に残り湯があり、高温差湯を行って残り湯を昇温させる場合を説明する。高温差湯は、前記した自動湯張りと同様に蛇口やシャワー等を閉じた状態でリモコン１９によりコントローラ１８にその旨を指令して行う。この場合には、図３に示すように第１水電磁弁１４を閉じ、第２水電磁弁１３及びバイパス水電磁弁１１を開く。このため、熱交換器３から差湯管５を経て浴槽４１へ湯が流れる。ただし差湯管５には湯ガバナ２０が設けられているので、自動湯張りの場合よりその流量は少ない。差湯管５に湯ガバナ２０を設ける理由は、熱交換器３に大流量の水が流れると、ガスバーナ４の加熱能力が限られているため湯温が高温差湯に十分な程度にまで上がらないからである。この流れを流量センサ１０により検出されると、自動湯張りの場合と同様にガスバーナ４が点火され、出湯サーミスタ１２の検知水温が高温、例えば８０℃程度となるようにガス比例弁２１が制御される。
【００２２】
なお、バイパス水電磁弁１１は開いているが、自動湯張りの場合と同様の理由によりバイパス管８に水は流れない。このときバイパス水電磁弁１１が開とされる理由は、高温差湯中に蛇口等が開かれた場合に、高温の湯がそのまま出湯すると危険なので、冷水と混合して出湯させるためである。
かかる高温差湯は、予め定められた所定時間行われる。高温差湯が終了すると、第２水電磁弁１３を閉じて湯の供給を停止し、自動湯張りが終了したときと同様にガスバーナ４を消火する。また、高温差湯の開始時と終了時とには、自動湯張りの場合と同様、リモコン１９の表示機能及び警報機能を利用して、その旨が知らされる。
【００２３】
次に、蛇口等の一般給湯を使用する場合を説明する。一般給湯は、台所の蛇口や浴室のシャワー等を開栓することにより行う。この場合には図４に示すようにバイパス水電磁弁１１、第１、第２水電磁弁１３、１４はいずれも閉じられている。このため熱交換器３から一般給湯管７を経て蛇口等へ湯が流れる。このとき流量センサ１０及び給湯水流センサ１６がオンされ、コントローラ１８の指令によりガスバーナ４が点火され、出湯サーミスタ１２の検知水温が給湯適温、例えば４０℃程度となるようにガス比例弁２１が制御される。なお、このときの温度制御は、給湯サーミスタ１７の検知温度で行ってもよい。また、バイパス水電磁弁１１が閉じているのでバイパス管８に水は流れない。
蛇口等を閉栓すると、給湯水流センサ１６がオフされ、コントローラ１８の指令によりガスバーナ４が消火される。
【００２４】
かかる高温差湯機能付給湯器においては、高温差湯を行っている途中で蛇口等を開いた場合には、一般給湯を優先して高温差湯を中断する。しかし、高温差湯のための高温の湯がそのまま蛇口等から出ると危険なので、バイパス管８からの冷水と混合され温度が下げられて一般給湯管７に流入するようになっている。そして、ガス比例弁２１を制御して熱交換器３の出湯温度が下がってから、バイパス水電磁弁１１を閉じる給湯切換ルーチンをコントローラ１８により行う。この制御を図５乃至７を参照して説明する。図５は制御ルーチンのフローチャートである。図６及び７は切換の過渡状態での湯の流れを示し、破線、実線及び丸印等の意味は図２乃至４と同じである。
【００２５】
この高温差湯機能付給湯器で高温差湯を行っているときには常に、給湯水流センサ１６がオンされたか否かが監視されている（Ｓ１）。また、高温差湯は前期のように所定時間行われるので、その所定時間の差湯がなされたか否かも監視されている（Ｓ２）。所定時間の差湯が終了すると（Ｓ２：Ｙｅｓ）、Ｓ３へ進み第２水電磁弁１３及びバイパス水電磁弁１１を閉じ、Ｓ１２でガスバーナ４を消火して、制御ルーチンは終了する。
【００２６】
そして、差湯実行中に蛇口等が開栓されると図６に示す過渡状態となる。即ち、熱交換器３からの湯は差湯管５と出湯管２の一般給湯管７の側とに分岐され、一般給湯管７の側へ流れた湯はバイパス管８からの冷水と混合され温度が下げられて一般給湯管７に流入する。なお、逆止弁１５が設けられているので、冷水が差湯管５に流入することはない。このとき一般給湯管７に湯が流れるため給湯水流センサ１６がオンされ（Ｓ１：Ｙｅｓ）、Ｓ４に進む。Ｓ４では、ガス比例弁２１の開度を絞る。熱交換器３からの出湯温度を給湯適温まで下げるためである。またこのとき、高温差湯のための時間のカウントは停止される。また、リモコン１９の表示機能を利用して、高温差湯が中断されている旨が表示される。
【００２７】
そしてＳ５では、出湯サーミスタ１２の検知する出湯温度（Ｔｘ）が、予め定められた切換温度（Ｔ１）まで下がったか否かを判断する。出湯温度Ｔｘが切換温度Ｔ１まで下がると（Ｓ５：Ｙｅｓ）、Ｓ６に進む。Ｓ６では、第２水電磁弁１３を閉じる。温度の下がった湯が浴槽４１に流入し続けると高温差湯の目的に反するからである。一方、第２水電磁弁１３をＳ２で直ちに閉じないのは、熱交換器３からの高温の出湯を第２水電磁弁１３を通して浴槽４１の側に逃がすためである。熱交換器３からの出湯温度があまり高いうちに湯の全量を一般給湯管７の側へ流すと、バイパス管８からの冷水と混合してもなお、蛇口等へ供給するには温度が高すぎるからである。従って切換温度Ｔ１は、高温差湯用の出湯温度（例えば８０℃）より低く、給湯適温（４０℃程度）より高い温度（例えば６０℃程度）であり、コントローラ１８のＲＯＭに記憶された値である。また、リモコン１９により設定することもできる。
【００２８】
この過渡状態を図７に示す。熱交換器３からの出湯が全量、一般給湯管７へ流れており、バイパス管８からは冷水が一般給湯管７へ流れている。これらは混合して適温の湯となって蛇口等から出湯する。
【００２９】
そしてＳ７では、出湯サーミスタ１２の検知温度Ｔｘが、予め定められた切換温度（Ｔ２）まで下がったか否かを判断する。温度Ｔｘが切換温度Ｔ２まで下がると（Ｓ７：Ｙｅｓ）、Ｓ８に進む。Ｓ８では、バイパス水電磁弁１１を閉じる。図７の過渡状態に示すような混合出湯では使用者による温度設定ができない等の不都合があるので、検知温度Ｔｘが十分下がった後は、冷水との混合を行わないからである。従って切換温度Ｔ２は、理想的には一般給湯の適温（４０℃程度）である。ただし、切換温度Ｔ２を給湯適温と完全に等しくすると、バイパス水電磁弁１１が閉じられる直前での蛇口等からの出湯温度が給湯適温よりかなり低くなるので、給湯適温よりやや高い温度とするのがよい。
【００３０】
かかる切換温度Ｔ２は、コントローラ１８のＲＯＭに記憶された値である。また、リモコン１９により設定することもできる。バイパス水電磁弁１１が閉じられた後は、図４に示す本来の一般給湯と同じ経路で湯が流れ、使用者による温度設定も可能である。
【００３１】
そしてＳ９では、湯温調整を行う。即ち、出湯サーミスタ１２の検知水温が給湯適温となるようにガス比例弁２１の開度を調節する。この状態で、給湯水流センサ１６がオフされるまで、一般給湯が続けられる。
蛇口等を閉栓すると、給湯水流センサ１６がオフされ、Ｓ１０でＹｅｓと判断される。このためＳ１１に進む。Ｓ１１では、中断した高温差湯に残り時間があるか否かを判断する。
残り時間がある場合には（Ｓ１１：Ｙｅｓ）、高温差湯の状態に復帰する。このため第２水電磁弁１３とバイパス水電磁弁１１とを開き、ガス比例弁２１を調整して出湯温度を高温にする。このとき、リモコン１９の表示機能及び警報機能を利用して、高温差湯の再開が表示される。残り時間がない場合には（Ｓ１１：Ｎｏ）、Ｓ１２へ進み、ガスバーナ４を消火する。
【００３２】
以上でこのルーチンは終了する。このルーチンは、高温差湯の途中で一般給湯を使用した場合のものであるが、自動湯張り給湯の途中で一般給湯を使用した場合にも原則として同様の制御が実行される。ただし、自動湯張りの設定温度が一般給湯の設定温度と等しいかごく近い場合には、単に熱交換器３からの湯を分岐して一般給湯管７に流すだけとしてもよい。その場合には図２に示す自動給湯状態でバイパス水電磁弁１１を閉じておくのがよい。
また、このルーチンと逆に一般給湯の使用中にリモコン１９で高温差湯又は自動湯張りを指令した場合には、一般給湯優先のため指令を受け付けないようになっている。若しくは、指令を保留しておき、一般給湯終了後に指令を実行するようにしてもよい。この場合にはリモコン１９の表示機能及び警報機能を利用して、指令が保留されている旨、及び実行される旨を知らせるようにする。
【００３３】
次に、第２の実施例について説明する。第２の実施例は、前記第１実施例とほぼ同様の構成及び作用を有するものであるが、図４で説明した給湯切換ルーチンにおけるＳ７の部分を変更したものである。
即ち、第１実施例のＳ７では出湯サーミスタ１２の検知水温Ｔｘが所定の切換温度まで下がったときにＳ８へ進むこととしたが、この実施例では出湯サーミスタ１２の検知水温Ｔｘの替わりに給湯サーミスタ１７の検知温度Ｔｙでかかる判断を行う。この場合の切換温度も、理想的には一般給湯の適温（４０℃程度）である。ただし、切換温度を給湯適温と完全に等しくすると、バイパス水電磁弁１１が閉じられた直後での蛇口等からの出湯温度が給湯適温よりかなり高くなるので、給湯適温よりやや低い温度とするのがよい。かかる切換温度は、コントローラ１８のＲＯＭに記憶された値である。また、リモコン１９により設定することもできる。
【００３４】
以上詳細に説明したように、前記各実施例に係る高温差湯機能付給湯器では、熱交換器３で水を高温に加熱し第２水電磁弁１３を開いて浴槽４１に高温差湯を行なっているときにはバイパス水電磁弁１１を開けておくこととしたので、高温差湯の途中で蛇口やシャワー等の一般給湯が使用された場合でも、高温の湯にバイパス管８からの冷水が混合され、高温のまま一般給湯管７に流入して蛇口等から出ることが防止される。また、出湯温度が所定の温度まで下がった後はバイパス水電磁弁１１を閉じることとしたので、本来の一般給湯と同様の状態となり、蛇口等からの出湯温度が安定する。また、バイパス水電磁弁１１等、必要な弁装置の個数も少なく、湯水管に流量制御弁を用いていない。このため構造が簡潔でコントローラ１８の負担も小さく、コストやメンテナンス等の点で優れている。かくして、使いやすく、高温差湯等の使用途中に一般給湯を使用したような場合でも安全な高温差湯機能付給湯器が安価に実現されている。
【００３５】
尚、前記実施例は本発明を何ら限定するものではなく、本発明の要旨を逸脱しない範囲にいて種々の変形・改良が可能であることはもちろんである。
例えば、差湯管５の起点は、分岐部ｂと逆止弁１５との間の位置や、浴槽給湯管６の第１水電磁弁１４より上流の位置であってもよい。また、給湯水流センサ１６は、逆止弁１５と接続部ｃとの間や、バイパス管８に設けてもよい。また、前記図５のフローのＳ４において、ガスバーナ４を一旦消火し、その後Ｓ９において再点火することとしてもよく、その場合にはＳ５からＳ７に至る出湯温度の低下がより速やかとなる。
【００３６】
【発明の効果】
以上説明したことから明かなように、本発明の高温差湯機能付給湯器では、第１開閉弁を閉じ、第２開閉弁を開き、熱交換器からの出湯温度が高温の設定温度となるように火力調整手段を制御して高温差湯を行なうときにはバイパス開閉弁を開いておくこととしたので、高温差湯中に水流検知手段がオンされた場合でも、加熱手段により高温に加熱された湯は、給水管から熱交換器をバイパスして供給される冷水と混合され温度が下げられて出湯する。従って、高温の湯がそのまま蛇口等から出湯することがなく安全である。
【００３７】
また、その場合に、火力調整手段により加熱手段の火力が弱められ又は停止され、その後に第２開閉弁が閉じられるので、湯温が高い間は高温給湯管の側に湯が逃がされ、ある程度湯温が下がった後はその湯が高温給湯管の側に流入するのが防止される。
また、その後、湯温が所定の温度まで下がってからバイパス開閉弁が閉じられるので、その後は本来の一般給湯と同様の給湯がなされ、低温の設定温度の出湯が得られる。
かくして、安全でかつ使いやすい高温差湯機能付給湯器が、湯水系統に流量制御弁を用いることなく少ない個数の弁装置で安価に提供され、その産業上奏する効果は大きい。
【図面の簡単な説明】
【図１】本発明の実施例に係る高温差湯機能付給湯器の構成図である。
【図２】この高温差湯機能付給湯器で浴槽に自動給湯する場合の湯の流れを説明する図である。
【図３】この高温差湯機能付給湯器で浴槽に高温差湯する場合の湯の流れを説明する図である。
【図４】この高温差湯機能付給湯器で一般給湯を使用する場合の湯の流れを説明する図である。
【図５】この高温差湯機能付給湯器における高温差湯から一般給湯へ切り換える場合のフローチャートである。
【図６】高温差湯から一般給湯への切換の過渡状態での湯の流れを説明する図である。
【図７】高温差湯から一般給湯への切換の過渡状態での湯の流れを説明する図である。
【図８】従来の高温差湯機能付給湯器の概略構成図である。
【符号の説明】
１            給水管
２            出湯管
３            熱交換器
４            ガスバーナ
５            差湯管
６            浴槽給湯管
８            バイパス管
１１          バイパス水電磁弁
１２          出湯サーミスタ
１３          第２水電磁弁
１４          第１水電磁弁
１５          逆止弁
１６          給湯水流センサ
１７          給湯サーミスタ
１８          コントローラ
２０          湯ガバナ
２１          ガス比例弁
【図１】
0003646735.tif 000002
【図２】
0003646735.tif 000003
【図３】
0003646735.tif 000004
【図４】
0003646735.tif 000005
【図５】
0003646735.tif 000006
【図６】
0003646735.tif 000007
【図７】
0003646735.tif 000008
【図８】
0003646735.tif 000009